(57)【要約】【課題】  プリンタに後付けや外付けで追加でき、収納スペースを取らず設置が容易で安価な用紙受箱を提供すること。【解決手段】  不使用時にはプリンタの発行口３直下の収納部５に折り畳んで収納し、使用時には引き出して展開し、組立られるプリンタの用紙受箱を、底板部６と、底板部６に回動可能に連結された前板部８と、側板部９と、底板部６と前板部８及び側板部９が互いに係止して略直角となすストッパ部８Ａ、および連接突起９Ｄ〜９Ｆとから構成した。【選択図】        図１
2008081276.tif 000002
【特許請求の範囲】
【請求項１】
不使用時にはプリンタの発行口直下の収納部に折り畳んで収納し、使用時には用紙排出方向に引き出して展開し、組立られるプリンタの用紙受箱において、前記用紙受箱は、底板部と、該底板部に回動可能に連結された前板部、側板部を備え、底板部と前板部及び側板部が互いに係止して略直角となるように係止部を設けたことを特徴とするプリンタの用紙受箱。
【請求項２】
前記側板部は、底板部の引き出し度合いに応じて組立時の奥行き寸法を変えられるように分割した、請求項１のプリンタの用紙受箱。
【請求項３】
前記側板部は、積層されたラベルが取り出し易くなるように、深さ寸法が漸増または漸減する、請求項１または２のプリンタの用紙受箱。
【請求項４】
前記分割した側板部には、用紙受箱を折り畳むときに、隣接する他の側板部を将棋倒しにして一度に折り畳めるように連接部を設けた、請求項２または３のプリンタの用紙受箱。
【請求項５】
前記連接部は、プリンタ本体に設けた係合部と係合可能である、請求項４のプリンタの用紙受箱。
【請求項６】
さらに、前記底板部、前板部、側板部のいずれかと一体に、または別部材で、収納部から引き出された底板部を下側から支える脚部を設けた、請求項１ないし５のプリンタの用紙受箱。
【請求項７】
前記前板部、側板部、または脚部の少なくとも１つと前記底板部との間には、底板部を収納部から引き出したときに底板から起き上がるように付勢する付勢部材を設けた、請求項１ないし６のプリンタの用紙受箱。
【発明の詳細な説明】
【技術分野】
【０００１】
本発明は、例えば連続紙に印字後カットするプリンタに用いて好適なプリンタの用紙受箱に関し、特に使用しないときにはプリンタ本体に収納され、使用時にはプリンタ本体から引き出して箱状に組み立てて使用するプリンタの用紙受箱に関する。
【背景技術】
【０００２】
従来、不使用時にプリンタ本体の底部に収納され、使用する時に引き出す用紙ホルダや印字済み用紙のトレーが知られている（例えば、特許文献１）。また、プリンタの発行口直下やプリンタ台の前側に引っ掛けるカゴ状の用紙受箱も知られている。さらに、スタッカーと呼ばれる印字済みのラベルやタグを積層して集める専用の装置も存在する。
【特許文献１】特開平１１−２４０２２３号公報
【０００３】
ところで、特許文献１にあるような従来技術では、用紙ホルダやトレーが予めプリンタ本体の一部として設計されるため、サイズや形状の変更が容易でない。特に、産業用のラベルやタグを印字するプリンタでは、用紙サイズがユーザー毎に区々であり、事務用（ＯＡ用）のプリンタ程の量産効果も期待できないため、問題となる。
【０００４】
また、プリンタに外付けする用紙受箱や専用のスタッカー等は、使用しないときに邪魔になり、常時使用するのでなければ高価につくという問題がある。
【発明の開示】
【発明が解決しようとする課題】
【０００５】
本発明は上記従来技術の問題に鑑みなされたもので、本発明の目的は、プリンタに後付けや外付けで追加でき、なおかつ、収納スペースを取らず設置が容易で安価なプリンタの用紙受箱を提供することにある。
【課題を解決するための手段】
【０００６】
上記課題を解決するため、本発明が採用する構成の特徴は、不使用時にはプリンタの用紙発行口直下の収納部に折り畳んで収納し、使用時には用紙発行方向に引き出して展開し、組立られるプリンタの用紙受箱において、前記用紙受箱は、底板部と、該底板部に回動可能に連結された前板部、側板部を備え、底板部と前板部及び側板部が互いに係止して略直角となるように係止部を設けたことにある。
【０００７】
上記構成によれば、用紙受箱は板金加工などの安価な方法で製造でき、プリンタに後付け、外付けできるため、設計変更も容易である。
【０００８】
ここで、上記側板部は、底板部の引き出し度合いに応じて組立時の奥行き寸法を変えられるように分割するのが好ましい。その理由は、ラベルやタグ専用のプリンタでは、連続したロール紙やファンフォールド紙に印字後、プリンタに内蔵したカッタで切断するものが多いが、カットして発行する用紙の長さもユーザーや用途毎に区々だからである。
【０００９】
また、上記側板部は、積層されたラベルが取り出し易くなるように、深さ寸法が漸増または漸減するのが好ましい。
【００１０】
また、上記分割した側板部には、用紙受箱を折り畳むときに、隣接する他の側板部を将棋倒しにして一度に折り畳めるように連接部を設けるのが好ましい。
【００１１】
また、上記連接部は、プリンタ本体に設けた係合部と係合可能にするのが好ましい。
【００１２】
また、上記底板部、前板部、側板部のいずれかと一体に、または別部材で、収納部から引き出された底板部を下側から支える脚部を設けるのが好ましい。
【００１３】
また、上記前板部、側板部、または脚部の少なくとも１つと前記底板部との間に、底板部を収納部から引き出したときに底板から起き上がるように付勢する付勢部材を設けるのが好ましい。
【発明の効果】
【００１４】
本発明によれば、プリンタと一体化して収納できる組立式の安価な後付け、外付けの用紙受箱を提供できる。前記用紙受箱は、組立式とすることで収納場所も取らず、プリンタの底部や脚部などに取付けることができる。
【発明を実施するための最良の形態】
【００１５】
以下、本発明の実施の形態につき図１ないし図４を参照しつつ詳細に説明する。
【００１６】
図１は本発明の第一の実施の形態にかかるプリンタの用紙受箱の組立操作手順を（Ａ）から（Ｃ）の順に示す説明図、図２は図１中（Ｂ）と（Ｃ）の状態の間の操作をさらに詳細に（Ａ）から（Ｄ）の順に示す説明図、図３は図１中の構造を説明する要部拡大図、図４は第二の実施の形態を示す説明図である。
【００１７】
まず、図中１は連続紙を内部で印字し、内蔵するカッタで切断して発行するラベルプリンタの本体を示し、該プリンタ本体１は底部の四隅にゴム脚などの脚部を備え、前面パネル２にはボタンや表示部などの操作装置と、印字されたラベルが発行されるラベル発行口３とを備えている。
【００１８】
ラベル発行口３の幅方向両側には、後述する連接突起９Ｄ〜９Ｆを差し込むための係合孔４が、縦方向に離間して複数設けられている。
【００１９】
５はラベル発行口３の直下に位置してプリンタ本体１の底部に設けられた収納部であり、該収納部５は板金折り曲げ加工などの方法によって前側が開口する箱状に形成され、プリンタ本体１の脚部と底部との隙間に外付けされている。
【００２０】
６は収納部５に収納された平板状の底板部であり、該底板部６は収納部５より引き出し可能となり、図示しない収納部５の奥側で収納部に抜け止めされている。
【００２１】
７は底板部６の前端側下面に、ヒンジ１０（図３参照）を介して取り付けられた用紙受箱の脚部であり、該脚部７の前端側には、図２の（Ｂ）の如く、下側に回動させたときにほぼ９０度の角度で底板部６の上面に当接して停止するストッパ部７Ａが折り曲げ形成されている。また、脚部７には後述する前板部８を所定位置で停止させる第二のストッパ部７Ｂが一体形成されている。該脚部７は、収納部５から引き出された底板部６を下側から支える役目を負っている。
【００２２】
８は底板部６の前端側上面に、ヒンジ１１（図３参照）を介して取り付けられた前板部であり、該前板部８のヒンジ取付部分と反対側には、後述する側板部９Ａを展開させたときにほぼ９０度の角度で側板部９Ａに当接して停止させるストッパ部８Ａが折り曲げ形成されている。
【００２３】
９は、底板部６の上面に、ヒンジ１２（図３参照）を介して取り付けられた側板部である。該側板部９は、前板部８側から順に９Ａ，９Ｂ，９Ｃの３つの部分に分割され、漸次用紙受箱の深さ寸法が減少するように，連接して設けられている。
【００２４】
また、９Ａ，９Ｂ，９Ｃの各部には、ヒンジ取付部分と反対側の端の一端部に、用紙受箱を折り畳むときに、隣接する他の側板部を将棋倒しにして一度に折り畳めるよるに、連接突起９Ｄ，９Ｅ，９Ｆが設けられている。
【００２５】
ここで、上記各連接突起９Ｄ〜９Ｆは前記プリンタ本体の係合孔４のいずれかの位置と一致し、側板部９を底板部６の引き出し度合いに応じて組立時の奥行き寸法を変えた場合に、いずれかの連接突起９Ｄ〜９Ｆを適合する位置の係合孔４に係合させて用紙受箱の組立形状を決定させるように構成されている。
【００２６】
第一の実施の形態は以上の如き構成を有するもので、収納部５より上述した各図中の矢示方向に底板部６を引き出し、脚部７、前板部８、側飯部９をそれぞれ回動させて展開し、各ストッパ部７Ａ，７Ｂ，８Ａによる停止位置および連接突起９Ｄ〜９Ｆを係合孔４に係合させることにより、所望のラベルに適した形の用紙受箱が形成される。
【００２７】
そして、該用紙受箱は、側飯部９が斜め方向にカットされたように深さが変化しているので、蓄積されたラベル（印字用紙）を取り出すのが容易である。
【００２８】
また、用紙受箱を使用しないときには、既述した方法と逆の順序で折り畳み収納することができる。
このとき、前記分割された各側板部は、連接突起９Ｄ〜９Ｆにより隣接する他の側板部を将棋倒しにして一度に折り畳むことができる。
【００２９】
次に、図４を用いて第二の実施の形態を説明する。なお、上述した第一の実施の形態と同一の構成要素に同一符号を付し、その説明は省略する。
本実施の形態の特徴は、前板部、側板部、および脚部と底板部との間に、底板部を収納部から引き出したときに底板から起き上がるように付勢するねじりバネ（付勢部材）を設けたことにある。
【００３０】
図中に示すねじりバネ１０Ａ，１１Ａ，１２Ａは、前述した図３における各ヒンジ１０，１１，１２それぞれ（の相当する符号のヒンジ）に内蔵されることを意味するものであり、いずれも折り畳まれた上述の各板状部材を開く方向に付勢するようになっている。そして、脚部７が底板部６にストッパ７Ａを介して停止すると、前板部８，側板部９も連接してストッパ部７Ｂ，８Ａ等を介して位置決めされ、組み立てられる。
【００３１】
以上の如く構成される第二の実施形態においては、底板部６を収納部５から引き出すと速やかにねじりバネによって展開し、用紙受箱が完成するという長所がある。
【００３２】
なお、上述した各実施の形態は発明を現す一形態に過ぎず、本発明は請求項に記載した技術思想の範囲内での変形や均等物との置換が可能であることは勿論である。
【００３３】
例えば、実施の形態で開示した各ストッパ部の形成位置や形状および動作原理は従来公知のものと適宜置換可能であり、また、回動時には相互に干渉することなく、停止位置で確実に停止するように、穴を設けたり角丸めを設けたりしても構わない。
さらに、側板部は前側からプリンタ本体側に向けて底が浅くなるように図示したが、前板部に十分な高さを持たせ、側板部の深さの傾斜は逆向きとすることも可能である。
【図面の簡単な説明】
【００３４】
【図１】本発明の第一の実施の形態にかかるプリンタの用紙受箱の説明図であり、（Ａ）は収納時を、（Ｂ）は引き出し時を、（Ｃ）は組立後を順に示している。
【図２】図１中（Ｂ）と（Ｃ）の状態の間の組立操作をさらに詳細に示す説明図であり、（Ａ）は引き出し時の手順を、（Ｂ）は脚部の展開の手順を、（Ｃ）は前板部の展開の手順を、（Ｄ）は側板部の展開の手順を示している。
【図３】図１中の各部材の取付構造を示す要部拡大図である。
【図４】第２の実施の形態を示す説明図である。
【符号の説明】
【００３５】
１…プリンタ本体、３…ラベル発行口（用紙発行口）、４…係合孔、５…収納部、６…底板部、７…脚部、７Ａ，７Ｂ…ストッパ部（係止部）、８…前板部、８Ａ…ストッパ部（係止部）、９…側板部、９Ｄ〜９Ｆ…連接突起（連接部）、１０，１１，１２…ヒンジ、１０Ａ〜１２Ａ…ねじりバネ（付勢部材）
【図１】
2008081276.tif 000003
【図２】
2008081276.tif 000004
【図３】
2008081276.tif 000005
【図４】
2008081276.tif 000006